(57)【特許請求の範囲】
【請求項１】
パネル、ポケット式収納部材、袋状の収納部材等を回転自在に支持する支持体と該支持体を支持するスタンドとを含むスタンドシステムにおいて、前記スタンドは２つの側部材と該側部材間に取り外し自在に連結される少なくとも１つの中間部材とを含み、前記側部材及び前記中間部材はそれらに設けられた凹部と凸部とにより前記側部材と前記中間部材及び該中間部材同士を互いに連結できるように構成されており、各中間部材が１つの支持体を支持していることを特徴とするスタンドシステム。
【請求項２】
前記側部材と、１つ又は複数の前記中間部材が、互いに嵌め込み式連結部によって連結されることを特徴とする請求項１記載のスタンドシステム。
【請求項３】
前記嵌め込み式連結部が前記中間部材の両側部及び、前記各側部材の一方の側部に形成された前記凹部と前記凸部とからなることを特徴とする請求項２記載のスタンドシステム。
【請求項４】
前記嵌め込み式連結部が、互いに連結される２つの部材の側部に設けられた少なくとも２つの凹部と２つの凸部とからなり、これら部材のうち１つを、両部材の中心に位置し、且つ前記凹凸部に対して平行に延びる軸（２４）を中心に１８０°回転させて同位置に移動させた際に、互いに連結する２つの部材の前記凹凸部の外形が一致することを特徴とする請求項２又は３記載のスタンドシステム。
【請求項５】
前記中間部材の前方下縁部と、この下縁部に対して後方にオフセットした前記側部材の端部によって前記スタンドが支持されることを特徴とする請求項１乃至４のいずれか１項記載のスタンドシステム。
【請求項６】
前記側部材の自由端部にゴム製の支持ボールが設けられていることを特徴とする請求項５記載のスタンドシステム。
【請求項７】
前記中間部材が、支持体の後壁の突出部を収容する手段を有することを特徴とする請求項１乃至６のいずれか１項記載のスタンドシステム。
【請求項８】
前記収容手段が平らな基台を有することを特徴とする請求項７記載のスタンドシステム。
【請求項９】
前記側部材及び中間部材が中空のプラスチック材から形成されていることを特徴とする請求項１乃至８のいずれか１項記載のスタンドシステム。
【請求項１０】
前記側部材に錘の役割を果たす部材が挿入されていることを特徴とする請求項９記載のスタンドシステム。
【請求項１１】
前記嵌め込み式連結部の凸部に歯止め及び／又は掛け金となる突起が設けられていることを特徴とする請求項３乃至１０のいずれか１項記載のスタンドシステム。
【請求項１２】
１つ又は複数の前記支持体の後壁が、溝部及び開口部を有することを特徴とする請求項１乃至１１のいずれか１項記載のスタンドシステム。
【請求項１３】
前記支持体が射出成形されたシェル状の胴体部と、この胴体部の上下端部付近から下方に傾斜した形状の窪みとからなることを特徴とする請求項１乃至１２のいずれか１項記載のスタンドシステム。
【請求項１４】
前記形状の窪みが、前記中間部材の収容手段に嵌めこまれ、ネジによって固定されることを特徴とする請求項７又は１３記載のスタンドシステム。
【発明の詳細な説明】
技術分野
本発明は、パネル、ポケット式収納部材、袋状の収納部材等を回転自在に支持する支持体と該支持体を支持するスタンドとを含むスタンドシステムに関する。
先行技術
上述のタイプのスタンドは、１枚の板状の金属プレートからなり、このプレートは９０°以下の角度に折り曲げられており、二辺を構成しているものがよく知られている（デュラブル社カタログ  ９５０，１９０ページ）。二辺のうち短い方の一辺がスタンドの脚部を形成し、長い方の一辺の上端及び下端には、パネルを回転自在に保持するための軸受けとなる取付部が設けられている。板状の金属プレートの幅及び、取付部の個数は、各々の状況に応じた回転パネルの枚数によって決まる。
又、短い方の一辺を、鋳造成形された脚部にネジ締めしているスタンドも知られている（デュラブル社カタログ  ９５０，１９０ページ）。この場合も、長い方の一辺には、軸受けとなる取付部が設けられている。
更に、イギリス特許第２  ２６８  ８２２  Ａ号に開示されているように、支持体が、リングバインダー式に形成されているものもある。この支持体は、スタンドの胴体部に回転自在に取付けられ、胴体部にはこの回転動作を支持する支持手段が設けられている。写真等を収容するためリングバインダーに挟み込まれる、袋状の収納部材の枚数は制限される。
上述のいずれの場合においても、スタンド又はスタンドを形成する部品の大きさは、回転パネル、ポケット式収納部材、袋状の収納部材の枚数により決定される。つまり、これはスタンドの製造費及び貯蔵費がかさんでしまうことを意味する。
発明の詳細な説明
本発明の目的は、安価に収容能力を変えることができるような組み立て式のスタンドを提供することにある。
【図面の簡単な説明】
図１は、１つの中間部材と２つの側部材からなるスタンドの正面斜視図である。
図２は、図１に示すスタンドの背面斜視図である。
図３は、図１及び図２に示すスタンドに支持体を取付けた図１に対応する正面斜視図である。
図４は、図１及び図２に示すスタンドに支持体を取付けた図２に対応する背面斜視図である。
図５は、中間部材を増やし、幅を広げることにより、図１及び図２に示すスタンドの収容能力を示す。
図６は、支持体とそれに対応する中間部材の各々の連結を示す。
図７は、図１及び図２に示すスタンドの収容能力を３倍に広げたスタンドを示す。
図８は、テーブルの天板に支持されたスタンドを示す。
図９は、クランプを用い、テーブルの天板の縁部に直接、中間部材を据えた場合を示す。
図１０は、テーブルの天板上にネジ締めした中間部材を示す。
図１１は、図１及び図２に示すスタンドの連結部の詳細を示す。
図１２は、図１及び図２に示すスタンドの連結部における、凹凸部の配置を示す。
発明の実施方法
図１及び図２に示すスタンドは、２つの側部材１、２と中間部材３とからなる。側部材１、２内には、鉛又はその他の重量のある物質が挿入されており、２つの側部材の形状や大きさは完全に一致する。側部材１、２及び中間部材３は射出成形されたプラスチック製である。側部材１、２の自由端部に固定されているのは、支持ボール４であり、支持ボール４は滑らないようゴム又はそれに類する物質から形成されている。中間部材３は、支持体６を収容するための部分５を有している。支持体６も又、射出成形されたプラスチック製であり、シェル状の胴体部７とその胴体部の上下端部付近から下方に傾斜した形状の窪み８とからなる。後壁９には、壁に掛けられるように、必要に応じて溝部１０及び開口部１１が設けられる。支持体６の構造については、ドイツ特許出願第１９６  ２３  ９０４．４−２６号に詳述されている。図３、４に示すように、窪み８の底部は収容部５に嵌めこまれ、支持体６の下縁１２は中間部材のウェブ部１３によって支持される。
図５から７に示すように、中間部材３の個数は各々の状況に応じて容易に変えることが可能である。僅か２種類の構成部材だけでスタンドの幅を大きくすることもあるいは狭くすることもでき、さらに支持体６と中間部材３はそれぞれ１本のネジ１４により連結される。スタンドは、テーブルの天板等の下部接触面１５において、中間部材３の前面下縁部１６及び図８に示す支持ボール４により支持される。中間部材３の収容部５の形状は、側部材１、２を用いず、直接、下部接触面１５に据え付けられるものがよい。この場合、収容部５は、図９に示すようなネジ式クランプ１８により下部接触面１５に取付けられるための、あるいは、図１０に示すように下部接触面１５にネジ締めされるための基台１７を有する。
側部材１、２及び中間部材３は、凹凸部が設けられた側部によって嵌め込み式に連結される。特にこれら部材の嵌め込みを安定させるために、嵌め込み部（側部）は、図１１及び１２に示すよう２つの凹部１９、２０と２つの凸部２１、２２からなる。形状の異なる２種類の部材、即ち、中間部材部分と側部材部分を強固に連結させるためには、例えば、図１２に示すように右手に位置する側部材２を、部材２、３の中間に位置し、且つ凹部１９、２０と凸部２１、２２に平行に延びる軸２４を中心に矢印２３の方向へ１８０°回転させた際、互いの外形が重なるように凹部１９、２０及び凸部２１、２２を形成する。更に互いの連結をより確実なものにするために、連結部の凸部２１、２２に歯止め又は掛け金となる突起２５を設けてもよい。
【図１】
0004159115.tif 000002
【図２】
0004159115.tif 000003
【図３】
0004159115.tif 000004
【図４】
0004159115.tif 000005
【図５】
0004159115.tif 000006
【図６】
0004159115.tif 000007
【図７】
0004159115.tif 000008
【図８】
0004159115.tif 000009
【図９】
0004159115.tif 000010
【図１０】
0004159115.tif 000011
【図１１】
0004159115.tif 000012
【図１２】
0004159115.tif 000013